(57)【要約】【課題】レンチキュラーレンズを備えて見る位置に応じて複数の画像が表示可能な表示媒体から一の画像を撮像装置にて撮影したとき、この画像に応じた情報を画像を送信してきた端末装置にダウンロードする表示システムを提供する。【解決手段】  少なくとも２通りの画像にて形成されるレンチキュラー画像の表面にシート状のレンチキュラーレンズ６を配して、外から見る角度に応じて一の画像が視認される表示媒体１を備える。この表示媒体１から一つの画像を撮像装置１４にて撮影して、端末装置２から情報配信ウェブサーバー３に送ると、情報配信ウェブサーバー３は、送られてきた画像から撮影位置を識別して、この位置情報に対応する情報をデータベース１９から抽出し、端末装置２へダウンロードする。【選択図】図１
2013238751.tif 000002
【特許請求の範囲】
【請求項１】
表面にシート状のレンチキュラーレンズが設けられ、見る位置に応じて予め印刷された少なくとも２種類の画像の内の一の画像が視認できるように形成された表示媒体と、
前記表示媒体との相対的な位置関係に応じて前記表示媒体上の一の前記画像を撮影する撮像装置と、
前記撮像装置に接続される端末装置と、
前記画像に応じて前記携帯端末装置に提供するための異なる情報を格納するデータベースと、
前記データベースに接続された情報配信ウェブサーバーと、により構成され、
前記端末装置は、前記撮像装置が撮影した画像を前記情報配信ウェブサーバーに自動送信する通信手段を備え、
前記情報配信ウェブサーバーは、送信されてくる前記画像を識別する画像判定手段と、識別した前記画像に応じた前記情報を前記データベースから抽出する情報抽出手段と、抽出した前記情報を前記端末装置に送信する情報送信手段とを備えたことを特徴とする表示システム。
【請求項２】
前記表示媒体は固定されて、前記撮像装置は移動可能であり、前記情報は、前記撮像装置による撮影位置からの次の移動に関する指示情報であることを特徴とする請求項１に記載の表示システム。
【請求項３】
前記指示情報は、前記端末装置にて音声表示又は画面表示されることを特徴とする請求項２に記載の表示システム。
【請求項４】
前記撮像装置と前記端末装置は、それぞれが一体に構成された携帯端末装置であることを特徴とする請求項１に記載の表示システム。
【請求項５】
前記表示媒体は移動体に搭載されて、固定された前記撮像装置は前記移動体が停止したときに前記表示媒体を撮影するものであって、前記情報は、前記移動体の停止位置を示すことを特徴とする請求項１に記載の表示システム。
【請求項６】
前記端末装置は、前記情報に基づき前記移動体の停止位置を調整することを特徴とする請求項５に記載の表示システム。
【発明の詳細な説明】
【技術分野】
【０００１】
本発明は、看板や標識などの分野で広く用いられている表示媒体を利用した表示システムに関する。
【背景技術】
【０００２】
屋外で用いられる此の種の表示媒体には、見る人に対してより多くの情報を表示して提供することが求められている。しかしながら、表示媒体として、限られた表示スペースで見る人に注目してもらうには、認識しやすく且つ効果的な印象を与えるような表示構成とする必要があり、情報量を制限せざるを得なかった。
【０００３】
そのため、より多くの情報を効果的に表示することができる表示媒体として、レンチキュラーレンズを用いて、見る人が移動することによって、その位置に応じて複数の画像を視認可能なディスプレイが提案されている（例えば、特許文献１及び２を参照）。レンチキュラーレンズを用いた表示媒体は、画像の数に応じて情報量を増やすことができ非常に有効である。
【先行技術文献】
【特許文献】
【０００４】
【特許文献１】特開平５−３３３４５４号公報
【特許文献２】特開２０００−２２１８９０号公報
【発明の概要】
【発明が解決しようとする課題】
【０００５】
しかし、レンチキュラーレンズを用いた表示媒体を含めて、従来から一般的に使用されてきた看板等の表示媒体は、いったん設置すると表示の情報内容を変更するには書き換えるしかなく、周知する情報が頻繁に変わる看板等に用いるには余り現実的ではなかった。例えば、イベントの場所や期間などの案内に用いられる看板においては、イベントが日、週、月単位で代わるために、その度に書き換える手間が必要となる。
【０００６】
そのため、容易に書き換えが可能なＬＥＤ、ＣＲＴ、液晶を用いた電光掲示板も種々存在するが、何れも明るい場所では見づらいばかりか高価となる欠点がある。
【０００７】
本発明は、上記課題に鑑み、表示媒体にレンチキュラーレンズを用いて、より多くの情報を表示可能なレンチキュラーレンズの特性を利用しつつ、表示内容の頻繁な変更にも対応することができる表示システムを提供することを目的としている。
【０００８】
また、本発明は、見る位置により表示内容が変わるレンチキュラーレンズを利用して、移動体の停止位置を確認・調整することができる表示システムを提供することを目的としている。
【課題を解決するための手段】
【０００９】
本発明は、上記課題の解決をするために、表面にシート状のレンチキュラーレンズが設けられ、見る位置に応じて予め印刷された少なくとも２種類の画像の内の一の画像が視認できるように形成された表示媒体と、前記表示媒体との相対的な位置関係に応じて前記表示媒体上の一の前記画像を撮影する撮像装置と、前記撮像装置に接続される端末装置と、前記画像に応じて前記携帯端末装置に提供するための異なる情報を格納するデータベースと、前記データベースに接続された情報配信ウェブサーバーと、により構成され、前記端末装置は、前記撮像装置が撮影した画像を前記情報配信ウェブサーバーに自動送信する通信手段を備え、前記情報配信ウェブサーバーは、送信されてくる前記画像を識別する画像判定手段と、識別した前記画像に応じた前記情報を前記データベースから抽出する情報抽出手段と、抽出した前記情報を前記端末装置に送信する情報送信手段とを備えたことを特徴としている。
【００１０】
ここで、前記表示媒体は固定されて、前記撮像装置は移動可能であり、前記情報は、前記撮像装置による撮影位置からの次の移動に関する指示情報であることを特徴としている。
【００１１】
そして、前記指示情報は、前記端末装置にて音声表示又は画面表示されることを特徴としている。さらに、前記撮像装置と前記端末装置は、それぞれが一体に構成された携帯端末装置であることを特徴としている。
【００１２】
また、前記表示媒体は移動体に搭載されて、固定された前記撮像装置は前記移動体が停止したときに前記表示媒体を撮影するものであって、前記情報は、前記移動体の停止位置を示すことを特徴としている。
【００１３】
そして、前記端末装置は、前記情報に基づき前記移動体の停止位置を調整することを特徴としている。
【発明の効果】
【００１４】
上記の本発明に係る表示システムは、表示媒体にレンチキュラーレンズを使用することにより、一つの表示媒体で複数の画像を表示することができるため情報量を増やすことができる。そして、この画像を撮影して端末装置から情報配信サーバーに送信することで、端末装置にはさらに詳細な情報がダウンロードされるため、提供する情報量を格段に増大することができる。また、情報配信サーバーからダウンロードされる情報は書き換え可能な情報であるため、表示媒体に表示する内容は変更のない固定的な情報のみとすることができ、表示媒体を書き換える必要がない。
【００１５】
さらに、撮像装置により表示媒体を撮影したときの画像を識別することで撮像装置と表示媒体の相対的な位置関係を把握でき、この位置関係に応じて異なる情報を端末装置へ選択的にダウンロードするために個別に必要とする情報を的確に提供できる。
【図面の簡単な説明】
【００１６】
【図１】本発明に係る表示システムの構成を説明する図である。
【図２】本発明の一実施形態における表示媒体の厚さ方向からの断面構成図である。
【図３】本発明に係る表示システムを道案内の例で模式的に説明する図である。
【図４】本発明の一実施形態における携帯端末装置の構成をブロックにて示す図である。
【図５】本発明の一実施形態における情報配信ウェブサーバーの機能構成をブロックにて説明する図である。
【図６】本発明の一実施形態である移動体の停止位置を確認・調整する表示システムの構成を説明する図である。
【発明を実施するための形態】
【００１７】
以下、本発明の実施の形態について、図面を参照しながら説明する。
【００１８】
図１は、本発明に係る表示システムの構成を示しており、表示媒体１に印刷されている画像を撮影するためのカメラやビデオなどの撮像装置を有した端末装置２と情報配信ウェブサーバー３とは通信ネットワーク４を通して繋がっている。データベース１９は、端末装置２に提供する情報を格納しており、情報配信ウェブサーバー３と接続されている。情報配信ウェブサーバー３との接続は、通信ネットワーク４を通しての接続であっても良い。
【００１９】
表示媒体１は、多人数で見ることができる大型の看板や標識などである。この表示媒体１は、図２に示すように、レンチキュラー画像５の表面に、媒体の縦方向に細長い凸レンズ６Ａを多数並べてシート状に形成したレンチキュラーレンズ６を配置して構成している。レンチキュラー画像５は、２つ以上の画像を細長く短冊状に切断して、切断した画像を交互に順番に並べて1枚の画像に形成したもので、その画像の上にレンチキュラーレンズ６を貼り合わせて表示媒体１を構成している。また、レンチキュラーレンズ６の裏面に直接、レンチキュラー画像５を印刷することも可能である。レンチキュラーレンズ６によるシートは透明なプラスチック製のものが使用される。
【００２０】
具体的には、本例での表示媒体１の表面には、Ａ画像とＢ画像の２通りの画像が形成されている。そして、この表示媒体１を作成するにあたり、Ａ画像とＢ画像とをそれぞれ短冊状に細片化し、その各細片を交互に隣接して配列して１枚のレンチキュラー画像５を形成する。そして、Ａ画像及びＢ画像の隣り合う一組の細片の上にレンチキュラーレンズ６の１個の凸レンズ６Ａを配置することで、レンチキュラーレンズ６を通して外から表示媒体１を見ると、見る角度に応じてＡ画像若しくはＢ画像の何れか一つが視認できる。
【００２１】
端末装置２としては、表示媒体１の表面を撮影する角度に応じてＡ画像またはＢ画像を撮影するためのカメラやビデオなどの撮像装置を内蔵、または外付けにより接続されたものが使用される。但し、これから説明する道案内を実施形態とする表示システムにおいては、一般ユーザーが持ち歩いて利用できるような、カメラやビデオを内蔵した通常の携帯電話機やスマートフォンなどの携帯情報機器、又は可搬タイプのパーソナルコンピュータが好適である。よって、以後、この道案内を実施形態の説明においては、「携帯端末装置」と記述する。このような、携帯端末装置２に、専用アプリケーションを事前にインストールしておくことによって、本表示システムを利用することができる。インストールは、例えば、このアプリケーションをダウンロードするためのＵＲＬにアクセスすることで行うことができる。
【００２２】
図３は、道案内の表示システムの使用例を模式的に示すもので、交差点において、ｘ方向から歩いてきたａ者とｙ方向から歩いてきたｂ者に対して、それぞれｐ方向にある目的地までの道順を案内するケースで説明する。この場合、ａ者及びｂ者のそれぞれの前方に位置する交差点の角地に表示媒体１が設けられている。
【００２３】
表示媒体１は、ｘ方向から見るＡ画像とｙ方向から見るＢ画像とは、画像自体はそれぞれ異なるものの、それぞれが表示している内容は目的場所の施設やサービス等に関するもので、頻繁には書き換える必要のない固定的な情報である。そして、交差点から目的地までの道順を確認したい場合、携帯端末装置２のユーザーがキー操作または画面のタッチ操作を行って専用アプリケーションを起動させ、表示媒体１にカメラレンズを向けると、ユーザーの現在位置に応じてａ者はＡ画像を撮影し、ｂ者はＢ画像を撮影することになる。
【００２４】
撮影後、携帯端末装置２は、撮影した画像がＡ画像であるかＢ画像であるかの認識処理を行って、何れかの画像であることを判別すると、情報配信ウェブサーバー３に接続してこの画像を自動送信する。このような、画像認識は、専用アプリケーションに登録してある基準画像と、カメラにて撮影された画像とが同一であるかを判別することで行われる。
【００２５】
情報配信ウェブサーバー３は、携帯端末装置２が認識した画像がＡ画像であるかＢ画像であるかに応じて区別された情報をデータベース１９から抽出して携帯端末装置２へダウンロードする。道案内の表示システムの場合、データベース１９には、表示媒体１を見た位置から目的地までの移動に関する道順などの情報が格納されている。よって、情報配信ウェブサーバー３は、送られてきた画像により携帯端末装置２の位置（すなわち、ユーザーの位置）を識別すると、これに応じた道順情報などをデータベース１９から抽出して、携帯端末装置２へ送信する。
【００２６】
携帯端末装置２では、ダウンロードした情報を表示部２Ａに表示することで、ユーザーには情報配信ウェブサーバー３からの道順情報が提供される。よって、ａ者の携帯端末装置２には、直進して交差点を渡ってｐ方向に進み目的地まで行く途中の目印や詳しい地図を交えた情報が表示され、ｂ者の携帯端末装置２には、右折してｐ方向に進み目的地までの途中の目印や詳しい地図を交えた情報が表示される。また、携帯端末装置２にダウンロードする道順情報に音声情報を含ませることで、携帯端末装置２からの音声案内も可能となる。
【００２７】
したがって、表示媒体１を見た位置が異なる二人のユーザーに対して、それぞれ異なる情報が各自の携帯端末装置２にダウンロードされる。
【００２８】
このように、携帯端末装置２に表示される情報は、情報配信ウェブサーバー３からダウンロードされるために、情報の変更にも容易に対処できる。よって、目的地が変更となっても、表示媒体１の表示を変更せずに、データベース１９に格納している道順情報を書き換えるだけで済む。
【００２９】
図４は、携帯端末装置２の構成を示すブロック図である。携帯端末装置２は、中央演算処理装置１０と、中央演算処理装置１０が実行する制御プログラムや上記の専用アプリケーションを格納しているメモリ部１１と、キー入力部１３と、カメラ１４と、スピーカ１５と、情報配信ウェブサーバー３とで情報の送受信を行う通信手段１６とを備えている。
【００３０】
中央演算処理装置１０は、カメラ１４が撮影した画像を表示部２Ａに表示する。このとき、中央演算処理装置１０は、画像が予め登録した基準画像とカメラ１４で撮影された画像とが同一であるかを判別する。カメラ１４からの画像がＡ画像またはＢ画像であると、中央演算処理装置１０はこのＡ画像またはＢ画像を通信手段１６を通して情報配信ウェブサーバー３に送信する。
【００３１】
図５は、情報配信ウェブサーバー３の機能的な構成をブロック図にて示しており、情報配信ウェブサーバー３は、画像受信手段２５と、画像判定手段２６と、情報抽出手段２７と、情報送信手段２８とを備えている。
【００３２】
図５において、携帯端末装置２から画像受信手段２５に画像が送られてくると、画像判定手段２６にて送られてきた画像の種類を判別する。画像判定手段２６は、携帯端末装置２の画像認識と同じ動作を行うものであるが、情報配信ウェブサーバー３の画像判定手段２６では、本説明とは直接関係しない他の表示媒体１に形成されているＡ画像及びＢ画像以外の別の画像についての基準画像も登録されており、何れに一致しているかを判別する。尚、これに合わせてデータベース１９もこれら画像に対応した道順情報を格納している。
【００３３】
そして、画像判定手段２６にて、送られてきた画像が何れかの画像と一致していることを判別すると、情報抽出手段２７はこの画像に関係する道順情報をデータベース１９に格納した情報の中から抽出し、情報送信手段２８は、抽出した情報を携帯端末装置２へダウンロードする。
【００３４】
これにより、携帯端末装置２は、ダウンロードされた道順情報を表示部２Ａに表示し、音声情報による道順情報はスピーカ１５から発声させて音声案内を行う。
【００３５】
次に、移動体の停止位置を確認・調整する実施形態で本発明に係る表示システムを説明する。この場合の表示媒体１は、図６で示すように、移動体２０に搭載されている。撮像装置（カメラ）２１は水平方向に移動する移動体２０の停止位置に固定して設置されており、移動体２０が停止したとき、カメラ２１は表示媒体１を撮影する。この場合、移動体２０が実線により示す状態で停止したときと、点線により示す状態で停止したときとでは撮影する画像が異なる。
【００３６】
端末装置２２は、カメラ２１に接続されており、カメラ２１が撮影した画像が入力すると、この画像を情報配信ウェブサーバー２３に自動送信する。
【００３７】
そして、情報配信ウェブサーバー２３は、先に説明した道案内の表示システムの情報配信ウェブサーバー３と同様に、端末装置２２から送信されてきた画像を識別し、識別した画像に応じた情報をデータベース２４から抽出して端末装置２２へダウンロードする。この実施形態においては、データベース２４が格納している情報は、移動体２０の停止位置が目標位置から前方又は後方に逸脱していることを示す情報であり、端末装置２２の表示部２２Ａに表示される。
【００３８】
これにより、移動体２０は、手動又は端末装置２２による駆動制御にて停止位置が目標位置に合わされる。このとき、移動体２０が別の駆動制御装置（図示せず）にて制御されている場合は、端末装置２２からの信号によって駆動制御装置が移動体２０の停止位置合わせを行う。
【００３９】
尚、この実施形態においても、カメラ２１と端末装置２２とが一体となっている通常の携帯電話機やスマートフォン、又は可搬タイプのパーソナルコンピュータを使用することができる。
【産業上の利用可能性】
【００４０】
本発明は、レンチキュラーレンズを備えて見る位置に応じて複数の画像が表示可能な表示媒体から一の画像を撮像装置にて撮影し、これを端末装置からウェブサーバーに送ることにより、端末装置に撮影した位置に基づく情報をダウンロードするようにしており、産業上の利用可能性を有する。
【符号の説明】
【００４１】
１      表示媒体
２      端末装置
２Ａ    表示部
３      情報配信ウェブサーバー
４      通信ネットワーク
１４    撮像装置（カメラ）
１５    スピーカ
１９    データベース
２１    撮像装置（カメラ）
２２    端末装置
２３    情報配信ウェブサーバー
２４    データベース
２６    画像判定手段
２７    情報抽出手段
【図１】
2013238751.tif 000003
【図２】
2013238751.tif 000004
【図３】
2013238751.tif 000005
【図４】
2013238751.tif 000006
【図５】
2013238751.tif 000007
【図６】
2013238751.tif 000008